(57)【要約】【課題】  どの印刷ユニットをどの位置に使用したかを簡単かつ確実に識別でき、それによりテスト印刷を最小限に抑えることができ、機台フレームに印刷ユニットが確実に取り付けられているか認識できる装置を備えたコンピュータ制御式輪転印刷機を提供する。【解決手段】  仕事の内容に応じた印刷ユニットを機台フレームに装着すると、機台フレームに装着された読取装置は近接した印刷ユニットの標識装置の標識情報を検出して輪転印刷機制御用コンピュータに出力する。制御用コンピュータはその仕事にどの印刷ユニットが使用されたかを記憶する。同じ仕事を行うとき、制御用コンピュータは、読取装置から送られてくる印刷ユニットの標識情報と、先の仕事で使用した印刷ユニットの標識情報とを比較して同一の印刷ユニットが装着されているかを自動的に判別する。【選択図】  図２
2005088368.tif 000002
【特許請求の範囲】
【請求項１】
複数の着脱自在な印刷ユニットを備えたコンピュータ制御式輪転印刷機であって、装着された印刷ユニットを自動的に識別するためのユニット識別装置を有し、前記ユニット識別装置は各印刷ユニットに設けられる標識装置と、該標識装置が有する標識情報を検出して輪転印刷機制御用コンピュータに出力するための読取装置とから構成され、前記標識装置は各印刷ユニットの外周面にそれぞれ装着され、装着される印刷ユニットに付与された標識情報を含み、前記読取装置は印刷ユニットが機台フレームの所定の位置に装着されたときにその印刷ユニットの標識装置に近接する位置となるように設けられる、コンピュータ制御式輪転印刷機。
【請求項２】
前記標識装置は少なくとも１つの標識素子と該標識素子を機台フレームの所定の位置に着脱自在に固定するための素子保持部材とから構成され、前記読取装置は複数の動磁場解析式または渦電流式の近接スイッチから構成され、該近接スイッチは素子保持部材に装着可能な標識素子の数に応じた数であり、前記標識素子は装着される印刷ユニットに付された識別符号に対応した数および位置で素子保持部材に装着される、請求項１に記載のコンピュータ制御式輪転印刷機。
【請求項３】
前記近接スイッチは機台フレームに対する印刷ユニットの挿入方向の一側縁に相互に離間して設けられ、前記素子保持部材の少なくとも挿入方向先端の標識素子取付位置には標識素子が取り付けられる、請求項２に記載のコンピュータ制御式輪転印刷機。
【請求項４】
前記標識装置および読取装置は印刷ユニットの機台フレームへの挿入方向先端位置で相互に近接して位置するように設けられる、請求項１または２に記載のコンピュータ制御式輪転印刷機。
【発明の詳細な説明】
【技術分野】
【０００１】
本発明はコンピュータ制御式輪転印刷機に関し、特に、版胴、圧胴等を含む印刷ユニットを交換して種々の印刷に対応する、どちらかと言えばプリセットタイプのコンピュータ制御式輪転印刷機に関するものである。
【背景技術】
【０００２】
近年の多色刷り輪転印刷機は、印刷する色数に対応した数の印刷ユニットを直列に並べた構成となっており、各印刷ユニットには予め所定寸法の版胴や圧胴等が組み込まれ、所望の印刷内容に応じた印刷ユニットを使い分けている。一方、コンピュータ制御の考えが輪転印刷機にも採用されている。しかしながら、リアルタイムで印刷ズレの補正を行う場合、例えば、版胴の回転位置、紙送り速度、紙引張り力等のような数値的に検出しなければならない変数が多く、しかも変更すべき箇所の値が相互に関連して変化するため、単に変数を検出して調整してもそれによりまた別の変数に変化が生じることになり、リアルタイムの補正は不可能に近いとも言えるものであった。このため、現在の輪転印刷機におけるコンピュータ制御は、ある仕事を行ったときの各種の検出データを記憶させておき、同一の仕事を行うときにそのデータを用いることにより、少なくとも印刷ズレ補正のためのテスト印刷を最小限に抑えることに限定した、所謂、プリセット方式で利用されている。
【特許文献１】特開平６−２１９６３８号公開公報
【特許文献２】特開平７−８１０３８号公開公報
【発明の開示】
【発明が解決しようとする課題】
【０００３】
このようなプリセット方式では、以前に使用した印刷ユニット、より詳細には、版胴や圧胴等の組合せが異なると、版胴の回転位置、紙送り速度、紙引張り力等に微妙な変化を生じ、記憶しているデータをそのまま利用することができない。このため、どの印刷ユニットをどの位置に使用しているかを識別する必要がある。
【０００４】
従って、本発明の目的は、どの印刷ユニットをどの位置に使用したかを簡単かつ確実に識別でき、それによりテスト印刷を最小限に抑えることができる装置を備えたコンピュータ制御式輪転印刷機を提供することにある。
【０００５】
本発明の別の目的は、輪転印刷機の機台フレームに印刷ユニットが確実に取り付けられているか否かを検出できる装置を備えたコンピュータ制御式輪転印刷機を提供することにある。
【課題を解決するための手段】
【０００６】
本発明によるコンピュータ制御式輪転印刷機は、複数の着脱自在な印刷ユニットを備えたコンピュータ制御式輪転印刷機であって、装着された印刷ユニットを自動的に識別するためのユニット識別装置を有している。ユニット識別装置は各印刷ユニットに設けられる標識装置と、この標識装置が有する標識情報を検出して輪転印刷機制御用コンピュータに出力するための読取装置とから構成される。標識装置は各印刷ユニットの外周面にそれぞれ装着され、装着される印刷ユニットに付与された標識情報を含む。読取装置は、印刷ユニットが機台フレームの所定の位置に装着されたとき、その印刷ユニットの標識装置に近接する位置となるように設けられる。
【０００７】
標識装置は少なくとも１つの標識素子と、この標識素子を機台フレームの所定の位置に着脱自在に固定するための素子保持部材とから構成することもでき、読取装置は複数の動磁場解析式または渦電流式の近接スイッチにより構成することもできる。近接スイッチは素子保持部材に装着可能な標識素子の数に応じた数であり、標識素子は装着される印刷ユニットに付された識別符号に対応した数および位置で素子保持部材に装着される。
【０００８】
機台フレームに対する印刷ユニットの挿入方向の一側縁に近接スイッチを相互に離間して設け、素子保持部材の少なくとも挿入方向先端の標識素子取付位置に標識素子を取り付けることもできる。
【０００９】
標識装置および読取装置は、印刷ユニットの機台フレームへの挿入方向先端位置で相互に近接して位置するように設けることもできる。
【発明の効果】
【００１０】
仕事の内容に応じた印刷ユニットを機台フレームに装着すると、機台フレームに装着された読取装置は近接した印刷ユニットの標識装置の標識情報を検出して輪転印刷機制御用コンピュータに出力することにより、制御用コンピュータはその仕事にどの印刷ユニットが使用されたかを記憶する。同じ仕事を行うとき、基本的に、先の仕事のときのデータに基づいて所定の印刷ユニットを機台フレームに装着することになるが、このとき、制御用コンピュータは、読取装置から送られてくる印刷ユニットの標識情報と、先の仕事で使用した印刷ユニットの標識情報とを比較して同一の印刷ユニットが装着されているかを自動的に確認することができる。
【００１１】
好ましくは、標識情報はその印刷ユニットにおける版胴や圧胴等のロール装着情報を関連付けて記録される。これにより、制御用コンピュータは、異なった印刷ユニットが装着されていることを認識したとき、先の仕事のときの印刷ユニットとの違いを演算して版胴の回転位置、紙送り速度、紙引張り力等の修正を行うことにより、同じ仕事を確実に行うことができる。
【００１２】
近接スイッチは近接した標識装置の素子保持部材に標識素子が取り付けられているか否かを「１」または「０」の出力信号に変換することにより、近接スイッチの数に応じたデジタル信号を生成する。動磁場解析式または渦電流式の近接スイッチは、標識素子や近接スイッチにインクの付着した場合であっても。それにより感度低下や誤作動等の悪影響を受けるとなしに標識素子を感知することができる。このことは、光学的な近接スイッチのようにインクの付着によって標識素子や近接スイッチの作動が不安定または不可能になるのを回避できるため、メンテナンス作業を軽減することができる。
【００１３】
標識装置および読取装置を挿入方向の一側縁に設けるとき、素子保持部材の挿入方向先端の標識素子取付位置に標識素子をこの位置の近接スイッチが感知することで印刷ユニットが所定の位置に取り付けられたことを認識できる。また、印刷ユニットの挿入方向先端位置において、近接した標識装置を読取装置が感知することによっても同様に印刷ユニットが所定の位置に取り付けられたことを認識できる。
【発明を実施するための最良の形態】
【００１４】
本発明の実施例によるコンピュータ制御式輪転印刷機１０は、図１に例示するように、複数の印刷ユニット１１を機台フレーム１２に着脱自在に備えるプリセットタイプのコンピュータ制御式輪転印刷機である。
【００１５】
装着された印刷ユニット１１を自動的に識別するためのユニット識別装置１３は、図２に示すように、機台フレーム１２に対して印刷ユニット１１を挿入する方向Ａの一側縁に設けられる。ユニット識別装置１３は、各印刷ユニット１１に設けられる標識装置１３１と、標識装置１３１が有する標識情報を検出して輪転印刷機制御用コンピュータ１４に出力するための読取装置１３２とから構成されており、標識装置１３１および読取装置１３２は、印刷ユニット１１が機台フレーム１２の所定の位置に装着されたとき、相互に近接して対面する位置となるようにそれぞれ配置される。
【００１６】
標識装置１３１は、少なくとも１つの標識素子３１１と、標識素子３１１を機台フレーム１２の所定の位置に着脱自在に固定するための素子保持部材３１２とから構成され、読取装置１３２は複数の動磁場解析式または渦電流式の近接スイッチ３２１により構成される。制御用コンピュータ１４には、各印刷ユニット１１に装着されている版胴や圧胴等のデータが予め記憶されている。
【００１７】
標識素子３１１は、動磁場解析式または渦電流式の近接スイッチ３２１によって感知でき、かつ、素子保持部材３１２に着脱自在に固定できる部材、例えば、金属性ボルトが用いられる。素子保持部材３１２には、近接スイッチ３２１に対応した数の素子取付位置が設けられているが、標識素子３１１は印刷ユニット１１に付された識別符号に対応した数および位置にのみ取り付けられる。ここにおいて、素子取付位置のうち、挿入方向Ａの先端位置には標識素子３１１ａが装着されるのが好ましい。先端位置の標識素子３１１ａは、機台フレーム１２の取付位置に正確に印刷ユニット１１が装着されたときにのみ、対応する近接スイッチ３２１ａによって感知される。これにより、近接スイッチ３２１ａが標識素子３１１ａを感知しているか否かによって印刷ユニット１１が正確に装着されたか否かを判別することができる。
【００１８】
上述のごとく構成される本発明のコンピュータ制御式輪転印刷機１０は、仕事の内容に応じた印刷ユニット１１を機台フレーム１２に装着する。このとき、上述したように、先端の近接スイッチ３２１ａが標識素子３１１ａを感知することにより印刷ユニット１１が正確に装着されていることを認識する。印刷ユニット１１の正確な装着を確認すると、各近接スイッチ３２１が標識素子３１１が素子保持部材３１２に装着されているか否かを判別し、標識素子の有無に対応して「１」または「０」のデジタル信号を生成する。このデジタル信号は制御用コンピュータ１４に送られ、その印刷作業で行われた種々の調整データ（版胴の回転位置、紙送り速度、紙引張り力等）と共に記録される。
【００１９】
同じ印刷内容の作業を行うとき、前回の印刷ユニットの組合せを制御用コンピュータ１４に記憶させたデータから読み出し、それに対応する印刷ユニットをそれぞれ装着することで、前回の調整データをそのまま利用することができる。このとき、制御用コンピュータ１４は、ユニット識別装置１３が標識装置１３１から読み取った標識情報に基づいて、各印刷ユニット１１が所定の位置に装着されたかを判別すると共に、装着された印刷ユニット１１が所定の印刷ユニットであるかを判別する。所定の印刷ユニット１１が所定の装着位置に取り付けられていることが認識されたとき、上述のように前回の調整データをそのまま利用して印刷を行うことで調整作業を少なくとも最小限に抑えることができる。一方、印刷ユニット１１が所定の位置関係で装着されていない場合、所定の位置関係に置き換えることも可能であるが、好ましくは、記憶されている印刷ユニット１１の版胴や圧胴等と、実際に装着された印刷ユニットの版胴や圧胴等との相対的な関係を比較演算して適切な調整データを導き出し、それに基づいて印刷作業が行われる。この場合、この印刷作業に関する種々のデータは新たなデータとして記憶させることもできる。
【００２０】
上述の説明において、ユニット識別装置１３は、印刷ユニット１１の挿入方向Ａの一側縁に設けるように図示し説明したが、図２に仮想線で示すように、印刷ユニット１１の機台フレーム１２への挿入方向Ａの先端位置で標識装置１３１と読取装置１３２とが相互に近接して位置するように設けることもできる。
【００２１】
印刷ユニット１１の挿入方向先端位置にユニット識別装置１３を設けることにより、標識装置１３１と読取装置１３２とが相互に近接したときにのみ読取装置１３２が標識装置１３１を感知するため、標識情報が読み取られることで印刷ユニット１１が所定の位置に取り付けられたと認識することができる。
【産業上の利用可能性】
【００２２】
ユニット識別装置１３に用いられる近接スイッチ３２１は、上述した動磁場解析式または渦電流式の近接スイッチ以外のもの、例えば、超音波式や光電子式の近接スイッチも使用できることは当業者にとって容易に理解されよう。超音波式や光電子式の近接スイッチを用いる場合、汚れやインク等によって誤作動を生じないように適当な防護手段を採用する必要がある。
【図面の簡単な説明】
【００２３】
【図１】本発明の実施例によるコンピュータ制御式輪転印刷機の例を示す概略構成側面図である。
【図２】図１のII−II線から見た平面図である。
【符号の説明】
【００２４】
１０    コンピュータ制御式輪転印刷機
１１    印刷ユニット
１２    機台フレーム
１３    ユニット識別装置
１４    輪転印刷機制御用コンピュータ
３１    標識装置
３２    読取装置
３１１    標識素子
３１１ａ  先端位置の標識素子
３１２    素子保持部材
３２１    近接スイッチ
Ａ    印刷ユニットの挿入方向
【図１】
2005088368.tif 000003
【図２】
2005088368.tif 000004